(57)【要約】【課題】  ステータに軸受ハウジングを介して配線基板ユニットを取り付ける際の作業性を改善し、併せて、放熱板を小サイズ化しても配線基板の反り変形矯正機能が損なわれることのない磁気テープ装置のモータを提供する。【解決手段】  ステータ２とロータ５との組合せでなるモータ本体１と配線基板ユニット６とを備える。放熱板９が放熱作用と配線基板反り変形矯正機能とを発揮する。軸受ハウジング３及び配線基板８の重なり箇所を取付片２４，２５にビス３３，３４でビス止めする。放熱板９を配線基板８にビス９２でビス止めすると共に、放熱板９の一端部９ａの幅広係止片９３とその両側の突片９４，９４とにより配線基板８を挟ませる。【選択図】        図１
2005229769.tif 000002
【特許請求の範囲】
【請求項１】
巻線を備えたコアに連設されている取付片に軸受ハウジングが取り付けられたステータと上記軸受ハウジングに保持された回転軸を備えるロータとの組合せでなるモータ本体と、片側板面に磁気応動素子を搭載した配線基板の他側板面に放熱板が重ね合わされた配線基板ユニットとを備え、上記放熱板がその一端部を含む複数箇所で上記配線基板にねじ止めされていることによってその放熱板に上記配線基板の反り変形を矯正する機能が付加され、その放熱板の一端部のねじ止め箇所が、上記軸受ハウジング及び上記配線基板の重なり箇所を上記取付片にねじ止めしているビスを用いてその軸受ハウジング及び配線基板と共に上記取付片に対して共締めされている磁気テープ装置のモータにおいて、
板金でなる上記放熱板の一端部を上記軸受ハウジング及び上記配線基板と共に上記取付片に対して共締めすることに代えて、上記軸受ハウジング及び上記配線基板の重なり箇所だけが上記ビスによって上記取付片にねじ止めされている一方で、その放熱板の長さを短くしてその一端部の位置を後退させることにより、上記配線基板の他側板面に区画形成された略中央部の内側スペースとその内側スペースの全体を取り囲む外側スペースとのうちの内側スペースにその放熱板が配備され、かつ、その放熱板の一端部の幅方向略中央部に切起し形成された幅広係止片を上記配線基板に形成された係止孔に挿入して配線基板の片側板面に重なり状に係合させていると共に、上記放熱板の一端部の上記幅広係止片を挟む両側に具備されて上記配線基板の他側板面に重ね合わされた突片と上記幅広係止片とにより上記配線基板を挟ませてその放熱板の一端部を上記配線基板に結合しており、
上記放熱板の他端部に上記磁気応動素子の熱が伝えられる受熱部が備わり、その受熱部から当該放熱板の一端部側に向けて離れた１箇所だけで当該放熱板が上記配線基板にねじ止めされていると共に、上記配線基板に対する上記放熱板のねじ止め箇所と上記配線基板に対する上記幅広係止片の係合箇所とが、略矩形の上記配線基板の対角方向に沿う方向に並んでいることを特徴とする磁気テープ装置のモータ。
【請求項２】
巻線を備えたコアに連設されている取付片に軸受ハウジングが取り付けられたステータと上記軸受ハウジングに保持された回転軸を備えるロータとの組合せでなるモータ本体と、片側板面に磁気応動素子を搭載した配線基板の他側板面に放熱板が重ね合わされた配線基板ユニットとを備え、上記放熱板がその一端部を含む複数箇所で上記配線基板にねじ止めされていることによってその放熱板に上記配線基板の反り変形を矯正する機能が付加され、その放熱板の一端部のねじ止め箇所が、上記軸受ハウジング及び上記配線基板の重なり箇所を上記取付片にねじ止めしているビスを用いてその軸受ハウジング及び配線基板と共に上記取付片に対して共締めされている磁気テープ装置のモータにおいて、
上記放熱板の一端部を上記軸受ハウジング及び上記配線基板と共に上記取付片に対して共締めすることに代えて、上記軸受ハウジング及び上記配線基板の重なり箇所だけを上記ビスによって上記取付片にねじ止めすると共に、その放熱板の長さを短くしてその一端部を後退させ、かつ、その放熱板の一端部に具備させた幅広係止片を上記配線基板に形成した係止孔に係合させることによってその放熱板の一端部を上記配線基板に結合してあることを特徴とする磁気テープ装置のモータ。
【請求項３】
上記配線基板の他側板面に、その略中央部の内側スペースとその内側スペースの全体を取り囲む外側スペースとが区画形成されていて、上記放熱板が上記内側スペースに配備されている請求項２に記載した磁気テープ装置のモータ。
【請求項４】
上記幅広係止片が、板金でなる上記放熱板の一端部の幅方向略中央部に切起し形成されていると共に、その幅広係止片が上記係止孔に挿入されて配線基板の片側板面に重なり状に係合している請求項２又は請求項３に記載した磁気テープ装置のモータ。
【請求項５】
上記放熱板の一端部の上記幅広係止片を挟む両側に、上記配線基板の他側板面に重ね合わされた突片が備わり、それらの突片と上記幅広係止片とによって配線基板が挟まれている請求項４に記載した磁気テープ装置のモータ。
【請求項６】
上記放熱板の他端部に上記磁気応動素子の熱が伝えられる受熱部が備わり、その受熱部から当該放熱板の一端部側に向けて離れた１箇所だけで当該放熱板が上記配線基板にねじ止めされている請求項２ないし請求項５のいずれか１項に記載した磁気テープ装置のモータ。
【発明の詳細な説明】
【技術分野】
【０００１】
本発明は、磁気テープ装置のモータ、特に、ステータとロータとの組合せでなるモータ本体と、ＩＣチップなどの磁気応動素子を搭載した配線基板に放熱板が重ね合わされてなる配線基板ユニットとを備える磁気テープ装置のモータに関する。
【背景技術】
【０００２】
図５及び図６を参照して従来のこの種のモータを説明する。図５は同モータの底面図、図６は図５のＶＩ−ＶＩ線に沿う部分の断面図である。
【０００３】
このモータは、磁気記録再生装置などの磁気テープ装置のキャプスタンモータとして用いられるものであり、ステータ２とロータ５との組合せでなるモータ本体１と、磁気応動素子７を搭載した配線基板８に板金でなる放熱板９が重ね合わされた配線基板ユニット６とを備えている。
【０００４】
ステータ２は、環状に形作られて周方向複数箇所に巻線２１を備えていると共に当角度おきの３箇所に板片状の第１、第２及び第３の取付片２３，２４，２５が内向きに連設されているコア２２と、上記各取付片２３，２４，２５に跨がって取り付けられた軸受ハウジング３とを備えている。そして、マグネット５１を備えた上記ロータ５の回転軸５２が、上記軸受ハウジング３に軸受３１を介して回転自在に保持されている。これに対し、配線基板ユニット６では、配線基板８の片側板面にＩＣチップでなる磁気応動素子７が面実装されているのに対し、この配線基板８の他側板面に重ね合わされた放熱板９に形成されている膨出状の受熱部９１が、配線基板８の磁気応動素子７の実装箇所に開設された開口８１に挿入されて磁気応動素子７に対向している。また、放熱板９の一端部９ａの幅方向２個所に形成されたビス挿通孔（不図示）が配線基板８の一端部８ａの幅方向２個所に形成されたビス挿通孔８３，８３に対して位置合わせされた状態で、その放熱板９の１箇所がビス９２を用いて配線基板８に締結されている。
【０００５】
そして、配線基板ユニット６が上記軸受ハウジング３を介して上記ステータ２に取り付けられていて、その取付作業はおおむね次の手順に従って行われる。すなわち、軸受ハウジング３の周方向３箇所のビス止め個所のうちの１箇所を第１ビス３２を用いてコア２２の第１取付片２３にビス止めすることによって、その軸受ハウジング３をコア２２に仮固定しておく一方で、配線基板８に磁気応動素子７を搭載しかつビス９２を用いて放熱板９を重ね合わせてなる配線基板ユニット６を組み立てた後、２箇所でそれぞれ互いに位置合わせされている放熱板９のビス挿通孔と配線基板８のビス挿通孔８３とを、軸受ハウジング３の残りの２箇所のビス挿通孔にそれぞれ位置合わせし、その後、それぞれの個所で放熱板９のビス挿通孔と配線基板８のビス挿通孔８３と軸受ハウジング３のビス挿通孔とに挿通した第２ビス３３及び第３ビス３４を用いて、コア２２の残りの第２取付片２４及び第３取付片２５にそれぞれビス止めする。したがって、放熱板９はその一端部の２箇所で、軸受ハウジング３及び配線基板８の重なり箇所を第２及び第３の各取付片２４，２５にねじ止めしている第２及び第３のビス３３，３４を用いてその軸受ハウジング３及び配線基板８と共に取付片３３，３４に対して共締めされていることになる。
【０００６】
この構成のように、配線基板８に重ね合わされた放熱板９が、ビス９２と第２及び第３の各ビス３３，３４とによって３箇所で配線基板８にビス止めされていると、放熱板９に対して配線基板８が反り変形を起こすことが抑制される。言い換えると、放熱板９に配線基板８の反り変形を矯正する機能が付加される。放熱板９によっで発揮されるこのような配線基板８の反り変形矯正機能は、たとえば、磁気応動素子７によってロータ５の外周の着磁面の信号を読み取るという制御を行う場合にその読取り精度を向上させる上で重要な機能であり、また、配線基板８として高価な金属ベースプリント基板を用いる必要がなくなるという点でも有益な機能である。
【０００７】
一方、図５又は図６で説明した従来のモータと同様の構成、すなわち放熱板の３箇所が配線基板にビス止めされ、そのうちの２箇所では、放熱板が軸受ハウジング及び配線基板と共にコアの取付片に対して共締めされているという構成を備えるビデオカセットレコーダのキャプスタンモーターが公知である（特許文献１参照）。また、それ自体が反り変形を起こしにくい性質を備えた鉄板基板とその鉄板基板に搭載されている駆動ＩＣとを、曲げ加工された放熱板によって鉄板基板の端部で挟んでいるブラシレスモータも公知である（特許文献２参照）。さらに、プリント基板の裏側に間隔を隔てて配備した放熱板の端部を切り起こし、その切起し個所をプリント基板に搭載したＩＣのリードフレームに半田付けしたモータ用集積回路の放熱装置が公知である（特許文献３参照）。
【特許文献１】実用新案登録第３０９６０８８号公報
【特許文献２】特公平１−１６６４６９号公報
【特許文献３】特開平５−２５９６６６号公報
【発明の開示】
【発明が解決しようとする課題】
【０００８】
しかしながら、図５又は図６を参照して説明した従来例のモータでは、配線基板ユニット６を軸受ハウジング３を介してステータ２に取り付ける作業に際して、配線基板ユニット６の配線基板８の一端部８ａ側の２箇所のビス挿通孔８３，８３と放熱板９の一端部９ａ側の２箇所のビス挿通孔とを位置合わせする作業と、それらのビス挿通孔を、コア２２の第１取付片２３に仮固定した軸受ハウジング３の２箇所のビス挿通孔を残りの第２及び第３の各取付片２４，２５のねじ孔に対して位置合わせする作業と、その軸受ハウジング３の２箇所のビス挿通孔に対して、互いに位置合わせされている配線基板８及び放熱板９の各一端部８ａ，９ａ側の２箇所のビス挿通孔を位置合わせする作業とを行った後で、第２ビス３３及び第３ビス３４を用いて放熱板９を共締めすることが必要であるので、ステータ２に軸受ハウジング３を介して配線基板ユニット６を取り付ける作業がきわめて煩雑である。この点は上掲の特許文献１に記載されているものについても同様である。
【０００９】
また、他の特許文献２及び特許文献３に記載されているものは、配線基板自体が反り変形を起こしにくい高価な鉄板基板又は金属ベースプリント基板を用いていて、放熱板に配線基板の反り変形矯正機能が付与されていない。
【００１０】
一方、本願発明者は、配線基板に重ね合わせた放熱板によってその配線基板の反り変形を矯正するには、放熱板を配線基板の板面の略中央部領域だけに重ね合わせておくだけで十分であり、また、配線基板に搭載した磁気応動素子の熱を放熱させるためには、配線基板の板面の略中央部領域だけに重ね合わせた小サイズの放熱板を用いるだけで十分であることを見い出し、併せて、上記したように、ステータに軸受ハウジングを介して配線基板ユニット６を取り付ける作業がきわめて煩雑であるという状況に鑑みて本発明をなすに至った。
【００１１】
すなわち、本発明は、ステータに軸受ハウジングを介して配線基板ユニットを取り付ける際の作業性が改善され、併せて、放熱板を小サイズ化しても配線基板の反り変形矯正機能が損なわれることのない磁気テープ装置のモータを提供することを目的とする。
【課題を解決するための手段】
【００１２】
本発明に係る磁気テープ装置のモータは、巻線を備えたコアに連設されている取付片に軸受ハウジングが取り付けられたステータと上記軸受ハウジングに保持された回転軸を備えるロータとの組合せでなるモータ本体と、片側板面に磁気応動素子を搭載した配線基板の他側板面に放熱板が重ね合わされた配線基板ユニットとを備え、上記放熱板がその一端部を含む複数箇所で上記配線基板にねじ止めされていることによってその放熱板に上記配線基板の反り変形を矯正する機能が付加され、その放熱板の一端部のねじ止め箇所が、上記軸受ハウジング及び上記配線基板の重なり箇所を上記取付片にねじ止めしているビスを用いてその軸受ハウジング及び配線基板と共に上記取付片に対して共締めされている磁気テープ装置のモータに関するものである。
【００１３】
そして、本発明では、上記放熱板の一端部を上記軸受ハウジング及び上記配線基板と共に上記取付片に対して共締めすることに代えて、上記軸受ハウジング及び上記配線基板の重なり箇所だけを上記ビスによって上記取付片にねじ止めすると共に、その放熱板の長さを短くしてその一端部を後退させ、かつ、その放熱板の一端部に具備させた幅広係止片を上記配線基板に形成した係止孔に係合させることによってその放熱板の一端部を上記配線基板に結合してある。
【００１４】
この構成であれば、配線基板に磁気応動素子を搭載することと、配線基板に放熱板の一端部以外の個所をねじ止めすると共にその放熱板の一端部の幅広係止片を配線基板の係止孔に係合させることとを行うことによって配線基板ユニットを組み立てることができることに加え、その配線基板ユニットの配線基板を軸受ハウジングに重ねてその重なり個所だけをコアの取付片にねじ止めするだけで、配線基板ユニットをモータ本体に取り付けることができるため、従来のように、放熱板や配線基板の各ビス挿通孔を位置合わせしたり、それらのビス挿通孔を軸受ハウジングのビス挿通孔にさらに位置合わせしてビス止めしたりする作業が不要になり、それだけステータに配線基板ユニットを取り付ける際の作業性が改善される。また、配線基板ユニットにおいて、放熱板はその一端部の幅広係止片と配線基板の係止孔との係合個所と放熱板の一端部以外の個所のビス止め個所とによって配線基板に結合されるので、放熱板は、磁気応動素子の熱を放熱する機能と併せて、配線基板の反り変形を矯正する機能を発揮する。しかも、放熱板の一端部を軸受ハウジング及び配線基板と共にコアの取付片に対して共締めすることに代えて、その放熱板の長さを短くしてその一端部を後退させ、かつ、その放熱板の一端部に具備させた幅広係止片を配線基板に形成した係止孔に係合させているので、放熱板の小サイズ化が図られ、それだけ放熱板のコスト、ひいてはモータ全体のコストが安くなる。
【００１５】
本発明では、上記配線基板の他側板面に、その略中央部の内側スペースとその内側スペースの全体を取り囲む外側スペースとが区画形成されていて、上記放熱板が上記内側スペースに配備されていることが望ましく、これによると、放熱性能や配線基板反り変形矯正機能が損なわれない範囲で放熱板を可及的小サイズにしてその価格を安く抑えることが可能である。
【００１６】
本発明では、上記幅広係止片が、板金でなる上記放熱板の一端部の幅方向略中央部に切起し形成されていると共に、その幅広係止片が上記係止孔に挿入されて配線基板の片側板面に重なり状に係合していることが望ましい。これによれば、放熱板の一端部の幅方向中央部が幅広係止片を介して配線基板に係合するので、放熱板による配線基板反り変形矯正機能が良好に発揮される。
【００１７】
本発明では、上記放熱板の一端部の上記幅広係止片を挟む両側に、上記配線基板の他側板面に重ね合わされた突片が備わり、それらの突片と上記幅広係止片とによって配線基板が挟まれていることが望ましい。これによれば、放熱板の幅広係止片が係合している個所の両側で配線基板が突片によって支えられることになるので、配線基板添え変形矯正機能がいっそう良好に発揮される。
【００１８】
本発明では、上記放熱板の他端部に上記磁気応動素子の熱が伝えられる受熱部が備わり、その受熱部から当該放熱板の一端部側に向けて離れた１箇所だけで当該放熱板が上記配線基板にねじ止めされているという構成を採用することができ、この構成を採用すると、放熱板を配線基板に重なり状に配備するために必要なビスの個数が増えないという利点がある。
【００１９】
本発明に係る磁気テープ装置のモータは、次の構成を採用することによっていっそう具体化される。すなわち、巻線を備えたコアに連設されている取付片に軸受ハウジングが取り付けられたステータと上記軸受ハウジングに保持された回転軸を備えるロータとの組合せでなるモータ本体と、片側板面に磁気応動素子を搭載した配線基板の他側板面に放熱板が重ね合わされた配線基板ユニットとを備え、上記放熱板がその一端部を含む複数箇所で上記配線基板にねじ止めされていることによってその放熱板に上記配線基板の反り変形を矯正する機能が付加され、その放熱板の一端部のねじ止め箇所が、上記軸受ハウジング及び上記配線基板の重なり箇所を上記取付片にねじ止めしているビスを用いてその軸受ハウジング及び配線基板と共に上記取付片に対して共締めされている磁気テープ装置のモータにおいて、板金でなる上記放熱板の一端部を上記軸受ハウジング及び上記配線基板と共に上記取付片に対して共締めすることに代えて、上記軸受ハウジング及び上記配線基板の重なり箇所だけが上記ビスによって上記取付片にねじ止めされている一方で、その放熱板の長さを短くしてその一端部の位置を後退させることにより、上記配線基板の他側板面に区画形成された略中央部の内側スペースとその内側スペースの全体を取り囲む外側スペースとのうちの内側スペースにその放熱板が配備され、かつ、その放熱板の一端部の幅方向略中央部に切起し形成された幅広係止片を上記配線基板に形成された係止孔に挿入して配線基板の片側板面に重なり状に係合させていると共に、上記放熱板の一端部の上記幅広係止片を挟む両側に具備されて上記配線基板の他側板面に重ね合わされた突片と上記幅広係止片とにより上記配線基板を挟ませてその放熱板の一端部を上記配線基板に結合しており、上記放熱板の他端部に上記磁気応動素子の熱が伝えられる受熱部が備わり、その受熱部から当該放熱板の一端部側に向けて離れた１箇所だけで当該放熱板が上記配線基板にねじ止めされていると共に、上記配線基板に対する上記放熱板のねじ止め箇所と上記配線基板に対する上記幅広係止片の係合箇所とが、略矩形の上記配線基板の対角方向に沿う方向に並んでいる、という構成を採用することによっていっそう具体化される。この発明の作用については後述する実施形態を参照して詳細に説明する。
【発明の効果】
【００２０】
以上のように、本発明によれば、ステータに軸受ハウジングを介して配線基板ユニットを取り付ける際の作業性が改善され、併せて、放熱板を放熱性能を損なわない程度に小サイズ化しても配線基板反り変形矯正機能が損なわれることのない磁気テープ装置のモータを提供することが可能になる。したがって、配線基板として鉄板基板や金属ベースプリント基板などを用いる必要がなくなり、放熱板の小サイズ化によるコストダウンが相まって磁気テープ装置を安価に提供するに役立つ。特に、磁気応動素子によってロータの外周の着磁面の信号を読み取るという制御を行う磁気テープ装置において、その読取り精度に優れて画像安定性などに優れる磁気テープ装置を安価に提供することができるようになるという効果がある。
【発明を実施するための最良の形態】
【００２１】
図１は本発明の実施形態に係る磁気テープ装置のモータの底面図、図２は図１のＩＩ−ＩＩ線に沿う部分の断面図、図３は配線基板８と放熱板９とを示した概略分解斜視図、図４はコア２２の平面図である。
【００２２】
このモータは、磁気記録再生装置などの磁気テープ装置のキャプスタンモータとして用いられ、ステータ２とロータ５との組合せでなるモータ本体１と、磁気応動素子７を搭載した配線基板８に板金でなる放熱板９が重ね合わされた配線基板ユニット６とを備えている点で、図５又は図６を参照して説明した従来例と同様である。また、ステータ２の構成も同従来例と同様である。すなわち、図４に全体を示したように、ステータ２のコア２２は、環状に形作られて周方向複数箇所に巻線２１を備えていると共に当角度おきの３箇所に板片状の第１、第２及び第３の取付片２３，２４，２５が内向きに連設されていて、それらの取付片２３，２４，２５にはそれぞれねじ孔２３ａ，２４ａ，２５ａが備わっている。軸受ハウジング２３やロータ５の構成も図５又は図６を参照して説明した従来例と同様である。
【００２３】
これに対し、配線基板ユニット６では、配線基板８の片側板面にＩＣチップでなる磁気応動素子７が面実装されているのに対し、この配線基板８の他側板面に重ね合わされた放熱板９に形成されている膨出状の受熱部９１が、配線基板８の磁気応動素子７の実装箇所に開設された開口８１に挿入されて磁気応動素子７に対向している。また、放熱板９の１箇所がビス９２を用いて配線基板８に締結されている。この配線基板ユニット６は、以上の点で図５又は図６を参照して説明した従来例と同様である。
【００２４】
しかし、次の点で異なっている。すなわち、この実施形態の配線基板ユニット６では、配線基板８の他側板面が、略中央部の内側スペースＳ１とその内側スペースＳ１の全体を取り囲む外側スペースし２とに区画形成されている共に、板金でなる放熱板９の長さＬを短くしてその一端部９ａの位置を従来例（図５参照）よりも後退させてある。こうすることにより放熱板９が小サイズになってその価格が安くつく。そして、上記内側スペースＳ１に放熱板９を重ね合わせて配備し、ビス９２によって放熱板９を従来例と同じ位置、具体的には受熱部９１から放熱板９の一端部９ａ側に向けて離れた１箇所だけで配線基板８にビス止めしてある。また、図３に示したように、放熱板９には、その一端部９ａの幅方向略中央部に幅広係止片９３が切起し形成され、その幅広係止片９３を挟む両側に突片９４，９４が備わっている。これに対し、配線基板８には上記幅広係止片９３の相手方部分であるスリット状の係止孔８４が備わっている。そして、図２のように、放熱板９の幅広係止片９３が配線基板８の係止孔８４に挿入されて配線基板８の片側板面に重なり状に係合していると共に、放熱板９の２つの突片９４，９４が配線基板８の他側板片に重ね合わされ、それらの幅広係止片９３と突片９４，９４とが配線基板８を挟んで放熱板９の一端部９ａを配線基板８に結合してある。ここで、図１で判るように、配線基板８に対する放熱板のビス９２によるねじ止め箇所イと配線基板８に対する幅広係止片９３の係合箇所ロとは、略矩形の配線基板８の対角方向（矢印Ａ）に沿う方向に並んでいる。ねじ止め個所イと係合個所ロとがこの方向Ａに並んでいると、小サイズの放熱板９が配線基板８の内側スペースＳ１だけに配備されていても、放熱板９によって配線基板８の反り変形が効果的に矯正されるようになる。
【００２５】
また、配線基板ユニット６の配線基板８の一端部８ａの幅方向両側には、その外側スペースＳ２に位置するビス挿通孔８３，８３が備わっている。そして、それらのビス挿通孔８３，８３を、コア２２の第１取付片２３に第１ビス３２を用いて固定されている軸受ハウジング３の残りの２つのビス挿通孔に位置合わせし、配線基板８のビス挿通孔８３と軸受ハウジング３のビス挿通孔とに挿通させた第２ビス３３及び第３ビス３４を、コア２２の第２取付片２４及び第３取付片３５に備わっているねじ孔２４ａ，２５ａにねじ込んでビス止めしてある。この構成でステータ２側の軸受ハウジング３に配線基板ユニット６が取り付けられていると、両者の取付作業に際しては、配線基板８のビス挿通孔８３と軸受ハウジング３のビス挿通孔に位置合わせすることと、軸受ハウジング３のビス挿通孔を取付片２４，２５のねじ孔２４ａ，２５ａに位置合わせすることとを行うだけで済み、図５又は図６を参照して説明した従来例のように配線基板８の一端部８ａ側の２箇所のビス挿通孔８３と放熱板９の一端部９ａ側のビス挿通孔とを位置合わせする作業を行う必要がなくなり、それだけ作業性が改善される。
【００２６】
この実施形態では、放熱板９がに幅広係止片９３の両側の突片９４，９４とを設けた事例を説明したけれども、この点は、突片を一個所に設け、その両側に幅広係止片を設けてもよい。
【図面の簡単な説明】
【００２７】
【図１】本発明の実施形態に係る磁気テープ装置のモータの底面図である。
【図２】図１のＩＩ−ＩＩ線に沿う部分の断面図である。
【図３】配線基板と放熱板とを示した概略分解斜視図である。
【図４】コアの平面図である。
【図５】図５は従来のモータの底面図である。
【図６】図６は図５のＶＩ−ＶＩ線に沿う部分の断面図である。
【符号の説明】
【００２８】
１  モータ本体
２  ステータ
３  軸受ハウジング
５  ロータ
６  配線基板ユニット
７  磁気応動素子
８  配線基板
９  放熱板
９ａ  放熱板の一端部
９ａ  放熱板の一端部
２１  巻線
２２  コア
２３，２４，２５  取付片
３３，３４  ビス
５２  回転軸
８４  係止孔
９１  受熱部
９２  ビス
９４  突片
９３  幅広係止片
Ａ  配線基板の対角方向
Ｓ１  内側スペース
Ｓ２  外側スペース
【図１】
2005229769.tif 000003
【図２】
2005229769.tif 000004
【図３】
2005229769.tif 000005
【図４】
2005229769.tif 000006
【図５】
2005229769.tif 000007
【図６】
2005229769.tif 000008